(57)【要約】【課題】臨時取替え作業のための移動用機器を共通して利用することが可能となる、移動用機器の共通運用・管理システムとその方法を提供する。【解決手段】運用管理制御部と共通利用課金部と移動用機器位置管理部とメモリ部と運用管理端末と通信インターフェース部とから成る運用管理所の運用管理装置と、保管場所端末と通信インターフェース部とから成る保管場所事業所の保管管理端末装置と、使用場所端末と通信インターフェース部とから成る使用場所事業所の使用管理端末装置と、ＩＣタグおよびＧＰＳモジュールを実装した移動用機器とを備え、運用管理装置と他の電力供給元の運用管理装置とをデータ通信網を介して接続し、運用管理装置間での通信において、他の電力供給元から共通利用可能な移動用機器の利用条件を示すデータの配信を受け、要求条件を満たす移動用機器の提供元となる他の電力供給元を決定し、移動用機器の提供を受けるための処理がなされる。【選択図】図３
2005284793.tif 000002
【特許請求の範囲】
【請求項１】
使用場所の事業所で使用されている電力用機器を、保管場所の事業所に保管されている移動用機器で置換して、前記電力用機器に関する故障、保守、点検または修理のための臨時取替え作業を行うための前記移動用機器を、共通して利用するための移動用機器の共通運用・管理システムであって、
運用管理制御部と共通利用課金部と移動用機器位置管理部とメモリ部と運用管理端末と通信インターフェース部とから成る運用管理所の運用管理装置と、
保管場所端末と通信インターフェース部とから成る保管場所事業所の保管管理端末装置と、
使用場所端末と通信インターフェース部とから成る使用場所事業所の使用管理端末装置と、
ＩＣタグおよびＧＰＳモジュールを実装した移動用機器とを備え、
前記運用管理装置と他の電力供給元の前記運用管理装置とを、データ通信網を介して接続し、
前記運用管理装置間での通信において、前記他の電力供給元から、共通利用可能な前記移動用機器の利用条件を示すデータの配信を受け、要求条件を満たす前記移動用機器の提供元となる前記他の電力供給元を決定し、前記移動用機器の提供を受けるための処理がなされることを特徴とする移動用機器の共通運用・管理システム。
【請求項２】
請求項１に記載の移動用機器の共通運用・管理システムにおいて、
前記データ通信網がインターネットであることを特徴とする移動用機器の共通運用・管理システム。
【請求項３】
使用場所の事業所で使用されている電力用機器を、保管場所の事業所に保管されている移動用機器で置換して、前記電力用機器に関する故障、保守、点検または修理のための臨時取替え作業を行うための前記移動用機器を、共通して利用するための移動用機器の共通運用・管理方法であって、
内部での利用が可能か否かを確認の後、移動用機器の提供要求条件のデータを、他の電力供給元へ送信するステップと、
前記他の電力供給元が、前記移動機器の提供が可能か否かと、利用条件のデータとを送信するステップと、
受信したデータをもとに、要求条件を満足する前記他の電力供給元を決定し、結果のデータを送信するステップと、
前記結果を受けた前記他の電力供給元が、前記移動用機器の性能データの送信と、配送の手続きと、輸送ルートのチェックとを行うステップと、
配送された前記移動用機器を、受信した前記性能データをもとに確認し、結果のデータを送信するステップと、
作業終了後の前記移動用機器の性能データの送信と、返送の手続きと、利用料金の支払いの手続きと、輸送ルートのチェックとを行うステップと、
前記移動用機器の返送を受けて、性能の確認と利用料金の受領の確認とを行い、結果のデータを送信するステップとから成ることを特徴とする移動用機器の共通運用・管理方法。
【発明の詳細な説明】
【技術分野】
【０００１】
本発明は、使用場所の事業所で使用されている電力用機器に関する故障、保守、点検または修理のための臨時取替え作業に必要な移動用機器を、他電力供給元の運用管理所と共通して利用するための移動用機器の共通運用・管理システムとその方法に関する。
【背景技術】
【０００２】
従来、使用場所の事業所で使用されている電力用機器の故障、保守、点検または修理のための臨時取替え作業においては、電力供給元の保管場所に保管されている移動用機器で置換して行われており、他の電力供給元との移動用機器の共用は、行われていなかった。
従って、各電力供給元が、臨時取替え作業のための移動用機器を、常時確保しておく必要から、過剰に機器を保有する傾向があり、メンテナンスにおける維持費も増加するという問題があった。また、地理的に隣接する他の供給元との間では、隣接他電力供給元から、移動用機器の供給を受けるほうが合理的である場合があり、これまでの運用・管理システムの体制にも問題があった。さらに、同時多発テロなどによる人為的災害、あるいは局地的な自然災害による電力供給の広域な被害を想定すると、国境を接している国々にとっては、共通の運用・管理システムにより、相互に支援体制を持つことが望ましい。
【発明の開示】
【発明が解決しようとする課題】
【０００３】
本発明は、このような問題を解決するためになされたものであり、その目的は、臨時取替え作業のための移動用機器を共通して利用するための、移動用機器の共通運用・管理システムとその方法を提供する。
【課題を解決するための手段】
【０００４】
本発明の移動用機器の共通運用・管理システムは、使用場所の事業所で使用されている電力用機器を、保管場所の事業所に保管されている移動用機器で置換して、前記電力用機器に関する故障、保守、点検または修理のための臨時取替え作業を行うための前記移動用機器を、共通して利用するための移動用機器の共通運用・管理システムであって、
運用管理制御部と共通利用課金部と移動用機器位置管理部とメモリ部と運用管理端末と通信インターフェース部とから成る運用管理所の運用管理装置と、
保管場所端末と通信インターフェース部とから成る保管場所事業所の保管管理端末装置と、
使用場所端末と通信インターフェース部とから成る使用場所事業所の使用管理端末装置と、
ＩＣタグおよびＧＰＳモジュールを実装した移動用機器とを備え、
前記運用管理装置と他の電力供給元の前記運用管理装置とを、データ通信網を介して接続し、
前記運用管理装置間での通信において、前記他の電力供給元から、共通利用可能な前記移動用機器の利用条件を示すデータの配信を受け、要求条件を満たす前記移動用機器の提供元となる前記他の電力供給元を決定し、前記移動用機器の提供を受けるための処理がなされることを特徴とする。
【０００５】
本発明の移動用機器の共通運用・管理システムは、前記移動用機器の共通運用・管理システムにおいて、
前記データ通信網がインターネットであることを特徴とする。
【０００６】
本発明の移動用機器の共通運用・管理方法は、使用場所の事業所で使用されている電力用機器を、保管場所の事業所に保管されている移動用機器で置換して、前記電力用機器に関する故障、保守、点検または修理のための臨時取替え作業を行うための前記移動用機器を、共通して利用するための移動用機器の共通運用・管理方法であって、
内部での利用が可能か否かを確認の後、移動用機器の提供要求条件のデータを、他の電力供給元へ送信するステップと、
前記他の電力供給元が、前記移動機器の提供が可能か否かと、利用条件のデータとを送信するステップと、
受信したデータをもとに、要求条件を満足する前記他の電力供給元を決定し、結果のデータを送信するステップと、
前記結果を受けた前記他の電力供給元が、前記移動用機器の性能データの送信と、配送の手続きと、輸送ルートのチェックとを行うステップと、
配送された前記移動用機器を、受信した前記性能データをもとに確認し、結果のデータを送信するステップと、
作業終了後の前記移動用機器の性能データの送信と、返送の手続きと、利用料金の支払いの手続きと、輸送ルートのチェックとを行うステップと、
前記移動用機器の返送を受けて、性能の確認と利用料金の受領の確認とを行い、結果のデータを送信するステップとから成ることを特徴とする。
【発明の効果】
【０００７】
本発明の移動用機器の共通運用・管理システムによれば、臨時取替え作業のための移動用機器を共通して利用することが可能となる、移動用機器の共通運用・管理システムが実現できる。
【発明を実施するための最良の形態】
【０００８】
本発明による、移動用機器の共通運用・管理システムの実施の形態について、図を用いて説明する。図１は、本発明の運用管理場所の運用管理装置の構成を示すブロック図である。運用管理装置１において、共通利用課金部１１と移動用機器位置管理部１２とメモリ部１３と運用管理端末１４とが運用管理制御部１０に接続され、運用管理制御部１０が通信インターフェース部１５に接続されて、外部の通信ネットワークと接続される。
【０００９】
図２は、保管場所事業所の保管管理端末装置および使用場所事業所の使用管理端末装置の構成と、移動用機器の構成とを示し、且つ移動用機器および電力用機器の保管と使用を示すブロック図である。保管管理端末装置２において、保管場所端末２２は通信インターフェース部２１に接続されて、外部に通信ネットワークと接続される。使用管理端末装置３において、使用場所端末３２は通信インターフェース部３１に接続されて、外部に通信ネットワークと接続される。移動用機器は、ＩＣタグとＧＰＳモジュールを実装している。保管場所事業所において、置換して使用されるに足りる種類と数量の移動用機器２３が保管され、メンテナンス管理されている。使用場所事業所において、電力用機器３３と移動用機器２３とは、互いに接続されて電力供給のために稼動状態にある。
【００１０】
図３は、本発明の各電力元における移動用機器の運用管理システムが、インターネットを介して共通に接続されて成る移動用機器の共用運用管理システムを示すブロック図である。各電力供給元の運用管理装置１と複数の保管管理端末装置２および使用管理端末装置３が、それぞれ、各電力供給元の専用通信網４０に接続されて専用の移動用機器の運用管理システムを構成している。各電力供給元の運用管理装置Ａ〜Ｃ，１は、それぞれの電力供給元通信網Ａ〜Ｃ，４０を介して、各保管管理端末装置Ａ〜Ｃ，２および使用管理端末装置Ａ〜Ｃ，３から、移動用機器の保管状況および使用状況のデータを収集する。
【００１１】
具体的には、図２の各保管場所事業所の保管管理端末装置Ａ〜Ｃ，２の保管場所端末２２が、保管中の移動用機器２３の保管状況データを、通信インターフェース部２１を通して送信する。保管状況データは、保管場所での定期保守点検データおよび使用場所から返送された時点での使用履歴データをもとに更新され、実装されているＩＣタグにより更新状況がチェックされている。また、各使用場所事業所の使用管理端末装置Ａ〜Ｃ,３の使用場所端末３２が、使用中の移動用機器２３および電力用機器３３の使用状況データを、通信インターフェース部３１を通して送信する。図１の各電力供給元の運用管理装置Ａ〜Ｃ，１の運用管理制御部１０は、これらのデータを通信インターフェース部１５を通して受信する。さらに、メモリ部１３に記憶されているデータと受信したデータとをもとに、運用管理端末１４からの指示に従って保管管理データを更新してメモリ部１３へ記憶し、各電力供給元内および他の電力供給元からの使用要求に備える。
【００１２】
図３において、例えば電力供給元Ａの使用管理端末Ａ，３から、運用管理装置Ａ，１へ、移動用機器の使用要求が送信されると、運用管理装置Ａ，１の運用管理制御部１０は、メモリ部１３から最新の運用管理データを読み出す。運用管理データの使用計画、保管状況、使用状況から対応が難しいと判断すると、その使用要求を、インターネット通信網５０を介して、電力供給元Ｂ，Ｃの運用管理装置Ｂ，Ｃ，１へ送信する。運用管理装置Ｂ，Ｃ，１の運用管理制御部１０は、受信した使用要求データとメモリ部１３から読み出したデータをもとに、対応機種があるか否かを判断する。対応機種があると、メモリ部１３のデータと共通利用課金部１１とにより、配送日程、配送手段、機器の性能および利用料金等の契約に必要なデータを送信する。
【００１３】
運用管理装置Ａ，１の運用管理制御部１０は、運用管理装置Ｂ，Ｃ，１から送られたデータを受信する。さらに受信したデータを、メモリ部１３に記憶されている使用要求データから緊急度、利用料金および機器の性能から判断し、たとえば、電力供給元Ｃの機器を使用することを決定し、運用管理装置Ｃ，１へ使用決定の通知を送信する。運用管理装置Ｃ，１の運用管理制御１０は、この使用決定のデータを受信し、運用管理端末１４の指示に従って、メモリ部１３の使用計画データを更新する。次に、移動用機器位置管理部１２により移動用機器２３の保管場所を確認して配送手続きをすると共に、移動用機器２３のデータを送信する。さらに、運用管理装置Ａ，１の運用管理制御１０は、到着予定日に移動用機器２３の確認ができない場合は、移動用機器位置管理部１２により位置のチェックをして、輸送ルートを確認する。
【００１４】
運用管理装置Ａ，１の運用管理制御部１０は、配送された移動用機器２３を受信したデータをもとにチェックし、運用管理装置Ｃ，１へ結果を送信する。また、電力用機器に関する故障、保守、点検および修理のための臨時取替え作業が終了すると、使用終了時の機器の性能データを運用管理装置Ｃ，１へ送信し、利用料金の支払い手続と機器の返送手続とをする。運用管理装置Ｃ，１は、返送された移動用機器２３を受信したデータをもとにチェックし、利用料金の支払いを確認して、運用管理装置Ａ，１へ結果を送信する。さらに、運用管理装置Ｃ，１の運用管理制御１０は、到着予定日に移動用機器２３の確認ができない場合は、移動用機器位置管理部１２により位置のチェックをして、輸送ルートを確認する。
【００１５】
本発明による各運用管理装置、保管管理端末装置および使用管理端末装置の構成は、当該機能を実現する手段であればどのような装置であっても良く、保管場所事業所と使用場所事業所が同一場所であっても良いため、２つの目的のために同一の装置が使用されてもよい。また、所管エリアの規模や地域性により、各端末の統廃合が生じても良い。さらに配送および機器更新の機能を電力所から独立させて設けても良い。通信網においては、電力会社の専用回線による通信網であっても良く、すべてがインターネットによる通信網であっても良い。
【００１６】
図４は、本発明による移動用機器の共通運用・管理方法の情報データの流れを示すフローチャートである。例えば電力供給元Ａの使用管理端末Ａ，３が、運用管理装置Ａ，１へ、移動用機器の使用要求データを送信する（ステップ１００）。運用管理装置Ａ，１の運用管理制御部１０は、メモリ部１３から最新の運用管理データを読み出し、運用管理データの使用計画、保管状況、使用状況から対応が可能と判断すると、内部規定に準じて処理を実行し、終了する（ステップ１２０、ステップ３００）。対応が困難と判断すると、その使用要求データを、インターネット通信網５０を介して、電力供給元Ｂ，Ｃの運用管理装置Ｂ，Ｃ，１へ送信する（ステップ１３０）。電力供給元Ｂ，Ｃの運用管理装置Ｂ，Ｃ，１の運用管理部１０は、運用管理装置Ｂ，Ｃ，１の運用管理制御部１０は、運用管理装置Ａ，１の認証をチェックする（ステップ１４０）。認証が確認されると、受信した使用要求データとメモリ部１３から読み出したデータをもとに、対応機種があるか否かを判断し、対応機種があると、メモリ部１３のデータと共通利用課金部１１とにより、配送日程、配送手段、機器の性能および利用料金等の契約に必要なデータを送信し、対応ができなければその結果を送信する（ステップ１５０）。
【００１７】
運用管理装置Ａ，１の運用管理制御部１０は、運用管理装置Ｂ，Ｃ，１から送られたデータを受信し、メモリ部１３に記憶されている使用要求データから緊急度、機器の性能、および利用料金と、同一回答元かをもとに判断し、たとえば、電力供給元Ｃの機器を使用することを決定し、運用管理装置Ｃ，１へ使用決定の通知を送信する（ステップ１６０〜１９０、ステップ２１０）。判断に一つでも不具合があれば、手続きは中止される（ステップ２００）。運用管理装置Ｃ，１の運用管理制御１０は、この使用決定のデータを受信し、運用管理端末１４の指示に従って、メモリ部１３の使用計画データを更新し、移動用機器位置管理部１２により移動用機器２３の保管場所を確認して配送手続きをすると共に、移動用機器２３のデータを送信する（ステップ２２０）。さらに、配送した移動用機器が目的地へ届いたかを追跡し、届いていなければ、移動機器位置管理部１２により、場所のチェックをして輸送ルートを確認する（ステップ２３０、ステップ２４０）。
【００１８】
運用管理装置Ａ，１の運用管理制御部１０は、配送された移動用機器２３を受信したデータをもとにチェックし、運用管理装置Ｃ，１へ結果を送信する（ステップ２５０）。また、電力用機器に関する故障、保守、点検および修理のための臨時取替え作業が終了すると、使用終了時の機器の性能データを運用管理装置Ｃ，１へ送信し、利用料金の支払い手続と機器の返送手続とをする（ステップ２６０）。さらに、返送した移動用機器が目的地へ届いたかを追跡し、届いていなければ、移動機器位置管理部１２により、場所のチェックをして輸送ルートを確認する（ステップ２７０、ステップ２８０）。運用管理装置Ｃ，１は、返送された移動用機器２３を受信したデータをもとにチェックし、利用料金の支払いを確認して、運用管理装置Ａ，１へ結果を送信する（ステップ２９０）。終了（ステップ３００）。
【００１９】
以上説明したように、本発明の移動用機器の共通運用・管理システムとその方法によれば、電力用機器に関する故障、保守、点検および修理のための臨時取替え作業に必要な移動用機器の共通利用が可能となる。従って、各電力供給元が、臨時取替え作業のための移動用機器を、過剰に保有する必要が無くなるため、メンテナンスにおける維持費も軽減される。また、地理的に隣接する他の供給元から、移動用機器の供給を受けるほうが合理的である場合の対応が可能となり、総合的なコスト削減が図れる。さらに、同時多発テロなどによる人為的災害、あるいは局地的な自然災害による電力供給の広域な被害に対処するため、国境を接している国々との共通の運用・管理システムにより、相互に支援体制を持つことが可能となり、状況次第では、無償供与も可能となる。
【図面の簡単な説明】
【００２０】
【図１】本発明の運用管理場所の運用管理装置の構成を示すブロック図である。
【図２】保管管理端末装置、使用管理端末装置および移動用機器の構成と、移動用機器および電力用機器の保管と使用とを示すブロック図である。
【図３】本発明の移動用機器の共用運用管理システムを示すブロック図である。
【図４ａ】本発明の移動用機器の共通運用・管理方法の処理の流れを示すフローチャートである。
【図４ｂ】本発明の移動用機器の共通運用・管理方法の処理の流れを示すフローチャートである。
【符号の説明】
【００２１】
１    運用管理装置
２    保管管理端末装置
３    使用管理端末装置
１０    運用管理制御部
１１    共通利用課金部
１２    移動用機器位置管理部
１３    メモリ部
１４    運用管理端末
１５，２１，３１    通信インターフェース部
２２    保管場所端末
２３    移動用機器
３２    使用場所端末
３３    電力用機器
４０    電力供給元通信網Ａ〜Ｃ
５０    インターネット通信網
【図１】
2005284793.tif 000003
【図２】
2005284793.tif 000004
【図３】
2005284793.tif 000005
【図４ａ】
2005284793.tif 000006
【図４ｂ】
2005284793.tif 000007